(57)【特許請求の範囲】
【請求項１】
ウォブリングされ、記録ピット列が形成されることで情報が記録される記録トラックを備えており、
前記記録ピット列は、前記記録トラック上に形成され、
前記記録ピット列は、前記記録トラックのウォブリングの位相とは逆の位相でウォブリングされて形成されることを特徴とする情報記録媒体。
【請求項２】
前記記録ピット列のウォブリングの振幅は、前記記録トラックのウォブリングの振幅の略２倍であることを特徴とする請求の範囲第１項に記載の情報記録媒体。
【請求項３】
前記記録ピット列のデューティー比が略５０％であることを特徴とする請求の範囲第１項に記載の情報記録媒体。
【請求項４】
前記記録トラックは、変調が施されてウォブリングしていることを特徴とする請求の範囲第１項に記載の情報記録媒体。
【請求項５】
ウォブリングする記録トラック上に記録ピット列を形成することで、情報を記録する記録手段と、
前記記録トラックのウォブリングの位相と逆の位相でウォブリングする前記記録ピット列を形成するように前記記録手段を制御する制御手段と
を備えることを特徴とする情報記録装置。
【請求項６】
前記制御手段は、前記記録トラックのウォブリングの振幅の略２倍の振幅でウォブリングする前記記録ピット列を形成するように前記記録手段を制御することを特徴とする請求の範囲第５項に記載の情報記録装置。
【請求項７】
前記制御手段は、デューティー比が略５０％である前記記録ピット列を形成するように前記記録手段を制御することを特徴とする請求の範囲第５項に記載の情報記録装置。
【請求項８】
前記記録トラックは、変調が施されてウォブリングしていることを特徴とする請求の範囲第５項に記載の情報記録装置。
【請求項９】
前記記録トラックのウォブリングの位相と同じ位相でウォブリングする前記記録ピット列を形成する場合と比較して、前記情報の記録速度を減少させる速度減少手段を更に備えることを特徴とする請求の範囲第５項に記載の情報記録装置。
【請求項１０】
前記記録トラックのウォブリングの位相及び振幅の少なくとも一方を検出する検出手段と、
前記検出されたウォブリングの位相に基づいて、前記記録ピット列を形成するための記録信号に位相遅延を付加する遅延付加手段と、
前記検出されたウォブリングの振幅に基づいて、前記記録信号のゲインを調整するゲイン調整手段と
を更に備えることを特徴とする請求の範囲第５項に記載の情報記録装置。
【請求項１１】
前記記録手段は、レーザ光を照射することで前記記録ピット列を形成する照射手段と、前記レーザ光の光路を調整する光路調整手段とを含むことを特徴とする請求の範囲第５項に記載の情報記録装置。
【請求項１２】
前記光路調整手段は、ピエゾ素子を備えることを特徴とする請求の範囲第１１項に記載の情報記録装置。
【請求項１３】
ウォブリングする記録トラック上に記録ピット列を形成することで、情報を記録する記録手段を備える情報記録装置における情報記録方法であって、
前記情報に応じた前記記録ピット列を形成するように前記記録手段を制御する第１制御工程と、
前記記録トラックのウォブリングの位相と逆の位相にウォブリングする前記記録ピット列を形成するように前記記録手段を制御する第２制御工程と
を備えることを特徴とする情報記録方法。
【請求項１４】
ウォブリングする記録トラック上に記録ピット列を形成することで、情報を記録する記録手段と、前記記録トラックのウォブリングの位相と逆の位相でウォブリングする前記記録ピット列を形成するように前記記録手段を制御する制御手段とを備える情報記録装置に備えられたコンピュータを制御する記録制御用のコンピュータプログラムであって、該コンピュータを、前記制御手段として機能させることを特徴とするコンピュータプログラム。
【発明の詳細な説明】
【技術分野】
【０００１】
本発明は、例えばＤＶＤ等の情報記録媒体、例えばＤＶＤレコーダ等の情報記録装置及び情報記録方法、並びにコンピュータをこのような情報記録装置として機能させるコンピュータプログラムの技術分野に関する。
【背景技術】
【０００２】
例えば、ＣＤ−ＲＯＭ（Compact Disc−Read Only Memory）、ＤＶＤ−ＲＯＭなどの再生専用型の光ディスク等の情報記録媒体では、記録層の上に記録ピットと呼ばれるくぼみ（穴）が形成されることで、各種情報が記録されている。【０００３】
他方で、ＣＤ−Ｒ／ＲＷやＤＶＤ−Ｒ／ＲＷなどの記録型の光ディスク等の情報記録媒体では、記録用のレーザ光を記録層に照射して、該記録層の状態を変化させることで各種情報が記録される。より具体的には、例えば有機色素膜からなる記録層を備えるＤＶＤ−Ｒ等の光ディスクであれば、レーザ光の照射により発生する熱によって有機色素膜が破壊され、その結果レーザ光の照射された部分の状態が変化する。或いは、相変化膜からなる記録層を備えるＤＶＤ−ＲＷ等の光ディスクであれば、レーザ光の照射により発生する熱によって相変化膜の状態が、結晶状態から非結晶状態（アモルファス状態）へと又は非結晶状態から結晶状態へと変化する。この状態の変化によって、再生専用型の光ディスクにおけるくぼみと同等の特性を有する記録ピット（或いは、この場合記録マーク）が形成される。このとき、記録型の光ディスクにおいては、グルーブトラックないしはランドトラック等と呼ばれる記録トラックを参照しながら、適切な位置に記録ピットが形成される。
【発明の開示】
【発明が解決しようとする課題】
【０００４】
このように、再生専用型の光ディスクが有していないグルーブトラックないしはランドトラックを、記録型の光ディスクは有している。このため、再生専用型の光ディスク及び記録型の光ディスクの夫々に同一の情報を記録したとしても、再生専用型の光ディスクを再生することで得られる再生波形と、記録型の光ディスクを再生することで得られる再生波形とは大きく異なる。このため、双方の光ディスクの再生互換性に影響を及ぼすこともあり得、最悪の場合には互換性を保つことができず、再生専用型の光ディスクを再生する再生装置では、記録型の光ディスクに記録された情報を再生することができないという技術的な問題点を有する。【０００５】
本発明は、例えば上述した従来の問題点に鑑みなされたものであり、例えば再生専用型の情報記録媒体と良好な互換性を取ることを可能とならしめる情報記録媒体、情報記録装置及び情報記録方法、並びにコンピュータプログラムを提供することを課題とする。
【課題を解決するための手段】
【０００６】
（情報記録媒体）
本発明の情報記録媒体は上記課題を解決するために、ウォブリングされ、記録ピット列が形成されることで情報が記録される記録トラックを備えており、前記記録ピット列は、前記記録トラックのウォブリングの位相と逆の位相にウォブリングされて形成される。【０００７】
本発明の情報記録媒体によれば、記録ピットを多数含んでなる記録ピット列（即ち、記録ピットの配列に相当する記録ピット列）が記録トラック上に形成されることで、映像情報や音声情報やその他の各種情報が記録される。記録トラックは所定周期でウォブリングしている。このとき、記録トラックの全体が所定周期でウォブリングしていてもよいし、記録トラックの一部分が一の周期でウォブリングし、他の一部分が一の周期と異なる他の周期でウォブリングしていてもよい。この記録トラックのウォブリングは、例えば情報を記録するタイミングをとったり、或いは記録動作の制御をする際に参照される。【０００８】
本発明では特に、記録トラックのウォブリングの位相と、その記録トラック上に形成される記録ピット列のウォブリングの位相とが逆となる。具体的には、情報が記録される方向（即ち、記録トラックの進行方向）を基準軸とした場合、記録トラックのウォブリングの方向（振れの方向）と、記録ピット列のウォブリングの方向とは、互いに逆となる。即ち、例えば情報が記録される方向に沿って、記録トラックが相対的に右側に振れている場合には、記録ピット列は相対的に左側に振れている。他方、例えば情報が記録される方向に沿って、記録トラックが相対的に左側に振れている場合には、記録ピット列は相対的に右側に振れている。言い換えれば、記録トラックのウォブリングのパターンと逆のパターンでウォブリングする記録ピット列が形成される。【０００９】
このため、記録ピット列を再生する場合には、例えば記録トラック及び記録ピット列の夫々からプッシュプル信号が取得される。このとき、記録トラックのウォブリングの位相と記録ピット列のウォブリングの位相が逆であるため、プッシュプル信号のうち記録トラックに起因する信号成分と、プッシュプル信号のうち記録ピット列に起因する信号成分とは、互いに逆の信号となる。例えば、記録トラックに起因する信号成分が最大ピーク値を有している場合には、記録ピット列に起因する信号成分が最小ピーク値を有している。このため、両者の信号成分の和（即ち、再生動作の際に実際に取得されるプッシュプル信号）は、直流信号と同視することができる。他方で、再生専用型の情報記録媒体では、本発明におえる記録トラックが存在していないため、記録ピット列に起因する信号成分（即ち、プッシュプル信号）は、当然の如く直流信号と同等である。【００１０】
つまり、本発明に係る情報記録媒体によれば、再生専用型の情報記録媒体から得られる再生信号と同一ないしは概ね同一の再生信号を取得することができる。このため、再生専用型の情報記録媒体を再生するための情報再生装置であっても、本発明に係る情報記録媒体に記録された記録ピット列を、特段の不都合なく好適に再生することができる。即ち、本発明に係る情報記録媒体によれば、記録型の情報記録媒体であっても、再生専用型の情報記録媒体との間で互換性を好適に取ることができる。【００１１】
尚、本発明における「ウォブリングの位相が逆」というのは、厳密な意味で正反対である必要はなく、再生専用型の情報記録媒体との間の互換性に影響を与えない程度であれば、若干のズレを有していてもよい。【００１２】
本発明の情報記録媒体の一の態様は、前記記録ピット列のウォブリングの振幅は、前記記録トラックのウォブリングの振幅の略２倍である。【００１３】
記録ピット列は、概ね記録層の状態を変化させた（或いは、一の状態にした）マーク部分と、記録層の状態を変化させない（或いは、一の状態と異なる他の状態にした）スペース部分とを組み合わせることで形成されていてもよい。従って、この態様によれば、マーク部分とスペース部分との組合せを考慮して、記録トラックに起因する信号成分の振幅と、記録ピット列に起因する信号成分の振幅とを、概ね同一にすることができる。従って、記録型の情報記録媒体と再生専用型の情報記録媒体との間で、互換性をより好適に取ることができる。【００１４】
本発明の情報記録媒体の他の態様は、前記記録ピット列のデューティー比が略５０％である。つまり、記録ピット列の全体において、マーク部分が占める割合と、スペース部分が占める割合とが、概ね同一である。【００１５】
この態様によれば、このようなマーク部分とスペース部分との組合せを考慮して、記録トラックに起因する信号成分の振幅と、記録ピット列に起因する信号成分の振幅とを、概ね同一にすることができる。従って、記録型の情報記録媒体と再生専用型の情報記録媒体との間で、互換性をより好適に取ることができる。【００１６】
本発明の情報記録媒体の他の態様は、前記記録トラックは、変調が施されてウォブリングしている。【００１７】
この態様によれば、例えばＤＶＤ＋Ｒ／ＲＷ等のように、記録トラックにＢＰＭ（Bi Phase Modulation）変調が施された情報記録媒体であっても、上述した各種利益を享受することができる。【００１８】
（情報記録装置）
本発明の情報記録装置は上記課題を解決するために、ウォブリングする記録トラック上に記録ピット列を形成することで、情報を記録する記録手段と、前記記録トラックのウォブリングの位相と逆の位相でウォブリングする前記記録ピット列を形成するように前記記録手段を制御する制御手段とを備える。【００１９】
本発明の情報記録装置によれば、記録手段の動作により、所定周期でウォブリングする記録トラック上に記録ピット列が形成される。これにより、情報記録媒体に情報が記録される。【００２０】
本発明では特に、制御手段の動作により、記録トラックのウォブリングの位相と逆の位相でウォブリングする記録ピット列を形成するように記録手段が制御される。従って、このような記録ピット列が形成された情報記録媒体からは、上述したように、再生専用型の情報記録媒体から得られる再生信号と同一ないしは概ね同一の再生信号を取得することができる。このため、再生専用型の情報記録媒体を再生するための情報再生装置であっても、本実施液体に係る情報記録媒体に記録された記録ピット列を、特段の不都合なく好適に再生することができる。即ち、本発明に係る情報記録装置によれば、再生専用型の情報記録媒体との間で互換性を好適に取ることができるように、記録型の情報記録媒体に情報を記録することができる。【００２１】
本発明の情報記録装置の一の態様は、前記制御手段は、前記記録トラックのウォブリングの振幅の略２倍の振幅でウォブリングする前記記録ピット列を形成するように前記記録手段を制御する。【００２２】
この態様によれば、マーク部分とスペース部分との組合せを考慮して、記録トラックに起因する信号成分の振幅と、記録ピット列に起因する信号成分の振幅とを、概ね同一にすることができる。従って、記録型の情報記録媒体と再生専用型の情報記録媒体との間で、互換性をより好適に取ることができる。【００２３】
本発明の情報記録装置の他の態様は、前記制御手段は、デューティー比が略５０％である前記記録ピット列を形成するように前記記録手段を制御する。つまり、マーク部分が占める割合と、スペース部分が占める割合とが、概ね同一となる記録ピット列が形成されるように記録手段を制御する。【００２４】
この態様によれば、このようなマーク部分とスペース部分との組合せを考慮して、記録トラックに起因する信号成分の振幅と、記録ピット列に起因する信号成分の振幅とを、概ね同一にすることができる。従って、記録型の情報記録媒体と再生専用型の情報記録媒体との間で、互換性をより好適に取ることができる。【００２５】
本発明の情報記録装置の他の態様は、前記記録トラックは、変調が施されてウォブリングしている。【００２６】
この態様によれば、例えばＤＶＤ＋Ｒ／ＲＷ等のように、記録トラックにＢＰＭ（Bi Phase Modulation）変調が施された情報記録媒体であっても、上述した各種利益を享受することができる。【００２７】
本発明の情報記録装置の他の態様は、前記記録トラックのウォブリングの位相と同じ方向でウォブリングする前記記録ピット列を形成する場合と比較して、前記情報の記録速度を減少させる速度減少手段を更に備える。【００２８】
この態様によれば、記録速度を相対的に減少させて記録ピット列を形成することができる。従って、記録トラックのウォブリングの位相と逆の位相でウォブリングする記録ピット列を、比較的容易に且つ好適に形成することができる。【００２９】
本発明の情報記録装置の他の態様は、前記記録トラックのウォブリングの位相及び振幅の少なくとも一方を検出する検出手段と、前記検出されたウォブリングの位相に基づいて、前記記録ピット列を形成するための記録信号に位相遅延を付加する遅延付加手段と、前記検出されたウォブリングの振幅に基づいて、前記記録信号のゲインを調整するゲイン調整手段とを更に備える。【００３０】
この態様によれば、検出手段の動作によって検出された記録トラックのウォブリングの位相及び振幅に基づいて、記録ピット列が形成される。具体的には、遅延付加手段の動作により、記録トラックのウォブリングの位相に基づく位相遅延が記録信号に付加される。つまり、記録トラックウォブリングの位相と逆の位相でウォブリングする記録ピット列が形成されるように、位相遅延が記録信号に付加される。また、ゲイン調整手段の動作により、記録トラックのウォブリングの振幅に基づいて、記録信号のゲインが調整される。即ち、例えば記録トラックのウォブリングの振幅の略２倍の振幅で遥動する記録ピット列が形成されるように、記録信号のゲインが調整される。これにより、記録トラックウォブリングの位相と逆の位相でウォブリングする記録ピット列を形成することができる。【００３１】
本発明の情報記録装置の他の態様は、前記記録手段は、レーザ光を照射することで前記記録ピット列を形成する照射手段と、前記レーザ光の光路を調整する光路調整手段とを含む。【００３２】
この態様によれば、光路調整手段の動作によってレーザ光の光路を調整することで、比較的容易に、記録トラックのウォブリングの位相と逆の位相でウォブリングする記録ピット列を形成することができる。【００３３】
上述の如く光路調整手段を備える情報記録装置の態様では、前記光路調整手段は、ピエゾ素子を備えるように構成してもよい。【００３４】
このように構成すれば、高速な反応が可能なピエゾ素子を用いてレーザ光の光路を調整することができる。従って、記録トラックがどのようにウォブリングしていても、該ウォブリングの位相と逆の位相でウォブリングする記録ピット列を好適に形成することができる。【００３５】
（情報記録方法）
本発明の情報記録方法は上記課題を解決するために、ウォブリングする記録トラック上に記録ピット列を形成することで、情報を記録する記録手段を備える情報記録装置における情報記録方法であって、前記情報に応じた前記記録ピット列を形成するように前記記録手段を制御する第１制御工程と、前記記録トラックのウォブリングの位相と逆の位相でウォブリングする前記記録ピット列を形成するように前記記録手段を制御する第２制御工程とを備える。【００３６】
本発明の情報記録方法によれば、上述した本発明の情報記録装置が有する各種利益と同様の利益を享受することができる。【００３７】
尚、上述した本発明の情報記録装置における各種態様に対応して、本発明の情報記録方法も各種態様を採ることが可能である。【００３８】
（コンピュータプログラム）
本発明のコンピュータプログラムは上記課題を解決するために、上述した本発明の情報記録装置（但し、その各種態様を含む）に備えられたコンピュータを制御する記録制御用のコンピュータプログラムであって、該コンピュータを、前記制御手段として機能させる。【００３９】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００４０】
尚、上述した本発明の情報記録装置における各種態様に対応して、本発明のコンピュータプログラムも各種態様を採ることが可能である。【００４１】
コンピュータ読取可能な媒体内のコンピュータプログラム製品は上記課題を解決するために、上述した本発明の情報記録装置（但し、その各種態様を含む）に備えられたコンピュータにより実行可能なプログラム命令を明白に具現化し、該コンピュータを、前記制御手段として機能させる。【００４２】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（或いはコンピュータ読取可能な命令）から構成されてよい。【００４３】
本発明のこのような作用及び他の利得は次に説明する実施例から明らかにされる。【００４４】
以上説明したように、本発明の情報記録媒体は、記録トラックのウォブリングの位相と記録ピット列のウォブリングの位相とが逆である。従って、例えば再生専用型の情報記録媒体と良好な互換性を取ることができる。また、本発明の情報記録装置又は方法は、記録手段及び制御手段、または第１制御工程及び第２制御工程を備える。従って、該情報記録装置又は方法により記録された情報記録媒体は、例えば再生専用型の情報記録媒体と良好な互換性を取ることができる。
【図面の簡単な説明】
【００４５】
【図１】本実施例に係る光ディスクの概略構成を示す平面図及び断面図である。
【図２】本実施例に係る光ディスクの記録面における部分拡大斜視図である。
【図３】本実施例に係る情報記録再生装置の基本的な構成を概念的に示すブロック図である。
【図４】グルーブトラック上に形成される記録ピット列を示す拡大斜視図である。
【図５】記録ピット列が形成された光ディスクを再生することで取得されるプッシュプル信号の波形を概念的に示す波形図である。
【図６】再生専用型の光ディスクにおける記録ピット列を示す平面図であり、このような記録ピット列が形成された再生専用型の光ディスクを再生することで取得されるプッシュプル信号の波形を概念的に示す波形図である。
【図７】情報記録再生装置のより具体的な構成を概念的に示すブロック図である。
【図８】グルーブトラック上に形成される記録ピット列を概念的に示す平面図である。
【図９】記録ピット列が形成された光ディスクを再生することで取得されるプッシュプル信号の波形を概念的に示す波形図である。
【符号の説明】
【００４６】
１００  光ディスク
１１９  ウォブル
２００  情報記録再生装置
３５２  光ピックアップ
３５３  信号記録再生手段
５０１  ＬＤ
５０２  ＰＤ
５０５  対物レンズ
５０６  ピエゾ素子
５１２  位相遅延回路
５１３  ゲイン回路
ＧＴ  グルーブトラック
ＬＴ  ランドトラック
【発明を実施するための最良の形態】
【００４７】
以下、本発明を実施するための最良の形態について実施例毎に順に図面に基づいて説明する。【００４８】
（光ディスクの構成）
まず、本実施例に係る情報記録媒体としての光ディスク１００の構成について、図１及び図２を用いて説明する。ここに、図１は、光ディスク１００の概略構成を示す平面図及び断面図であり、図２は、光ディスク１００の記録面における部分拡大斜視図である。【００４９】
図１（ａ）に示すように、光ディスク１００は、直径１２ｃｍ程度の円板形状であり、中心にセンターホール１０２が設けられている。光ディスク１００の例としては、例えばＤＶＤ±ＲやＤＶＤ±ＲＷやＤＶＤ−ＲＡＭやＢＤ（Ｂｌｕ−ｒａｙ  Ｄｉｓｃ）やＨＤ  ＤＶＤ（Ｈｉｇｈ  Ｄｅｆｉｎｉｔｉｏｎ  ＤＶＤ）などが挙げられる。図１（ｂ）に示すように、光ディスク１００は、透明基板１０１ａ、１０１ｂとの間に、記録層１０３が設けられる構造を有している。また、記録層１０３の各記録領域には、センターホール１０２を中心にスパイラル状或いは同心円状に、図示しないグルーブトラック及びランドトラック等のトラックが交互に設けられている。このグルーブトラック及びランドトラックの夫々の上に或いはいずれか一方の上には、データがＥＣＣブロックの単位で分割されて記録される。【００５０】
光ディスク１００の構成を更に詳細に説明すると、図２に示すように、光ディスク１００は、ディスク状の透明基板１０１ａ上に（図２では下側に）、データの記録面を構成する加熱などによる非可逆変化記録型又は相変化記録型の記録膜１１３が積層され、更にその上に（図２では下側）に、反射膜１１８が積層されて、最後に透明基板１０１ｂが積層されている。記録膜１１３の表面からなるデータの記録面には、本発明の「記録トラック」の一具体例を構成するグルーブトラックＧＴ及びランドトラックＬＴが交互に形成されている。尚、光ディスク１００の記録時及び再生時には、例えば図２に示したように、透明基板１０１ａを介して例えばグルーブトラックＧＴ上に、レーザ光ＬＢが照射される。例えば、記録時には、記録レーザパワーでレーザ光ＬＢが照射されることで、記録すべきデータに応じて、記録膜１１３への加熱などによる非可逆変化記録又は相変化記録が実施される。他方、再生時には、記録レーザパワーよりも弱い再生レーザパワーでレーザ光ＬＢが照射されることで、記録膜１１３へ記録されたデータの読出しが実施される。【００５１】
そして、グルーブトラックＧＴは、一定の振幅及び空間周波数で揺動（即ち、ウォブリング）されている。そのウォブル１１９の周期は所定値に設定されている。ランドトラックＬＴ上にはプリフォーマットアドレスを示すランドプリピットＬＰＰと呼ばれるアドレスピットが形成されている。この２つのアドレッシング（即ち、ウォブル１１９及びランドプリピットＬＰＰ）により記録中のディスク回転制御や記録クロックの生成、また記録アドレス等のデータ記録に必要な情報を得ることができる。尚、グルーブトラックＧＴのウォブル１１９を周波数変調や位相変調など所定の変調方式により変調することによりプリフォーマットアドレス等のデータ記録に必要な情報を予め記録するようにしてもよい。【００５２】
（情報記録再生装置）
次に図３から図９を参照して、本発明の情報記録装置に係る実施例としての情報記録再生装置の構成及び動作について説明する。【００５３】
（１）基本構成
先ず、図３を参照して、本実施例に係る情報記録再生装置２００の基本的構成について説明する。ここに、図３は、本実施例に係る情報記録再生装置２００の基本的な構成を概念的に示すブロック図である。尚、情報記録再生装置２００は、光ディスク１００にデータを記録する機能と、光ディスク１００に記録されたデータを再生する機能とを備える。【００５４】
図３に示すように、情報記録再生装置２００は、実際に光ディスク１００がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。【００５５】
ディスクドライブ３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。【００５６】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。【００５７】
光ピックアップ３５２は、本発明における「記録手段の」一具体例を構成しており、光ディスク１００への記録再生を行うために、例えば半導体レーザ装置とレンズ等から構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。これにより、例えばグルーブトラックＧＴ上に記録ピットが形成される。【００５８】
信号記録再生手段３５３は、本発明における「制御手段」の一具体例を構成しており、スピンドルモータ３５１と光ピックアップ３５２を制御することで光ディスク１００に対して記録再生を行う。より具体的には、信号記録再生手段３５３は、例えば、レーザダイオードドライバ（ＬＤドライバ）及びヘッドアンプ等によって構成されている。レーザダイオードドライバは、光ピックアップ３５２内に設けられた図示しない半導体レーザを駆動する。ヘッドアンプは、光ピックアップ３５２の出力信号、即ち、光ビームの反射光を増幅し、該増幅した信号を出力する。【００５９】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００６０】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。【００６１】
データ入出力制御手段３０６は、ディスクドライブ３００に対する外部からのデータ入出力を制御し、メモリ３５５上のデータバッファへの格納及び取り出しを行う。情報記録再生装置３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【００６２】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、情報記録再生装置３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。【００６３】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【００６４】
以上説明した、ディスクドライブ３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、ディスクドライブ３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブ３００を制御する。【００６５】
（２）動作原理
続いて、図４及び図５を参照して、本実施例に係る情報記録再生装置２００により形成される記録ピット列について説明する。ここに、図４は、グルーブトラックＧＴ上に形成される記録ピット列を示す拡大斜視図であり、図５は、記録ピット列が形成された光ディスク１００を再生することで取得されるプッシュプル信号ないしはその信号成分の波形を概念的に示す波形図である。【００６６】
図４に示すように、本実施例に係る記録再生装置２００は、グルーブトラックＧＴのウォブリング（以下、「遥動」と記す。）の位相（ウォブル１１９の位相）とは逆の位相で遥動する記録ピット列（即ち、記録ピットの集合列）を形成する。記録ピット列の遥動の態様を分かりやすくするため、図４中では、一点鎖線にて記録ピット列の遥動の態様を示している。具体的には、図４中、相対的に下方に振れているグルーブトラックＧＴ上には、記録ピット列の全体から見ると相対的に上方に振れている記録ピット列が形成される。他方、図４中相対的に上方に振れているグルーブトラックＧＴ上には、記録ピット列の全体から見ると相対的に下方に振れている記録ピット列が形成されている。特に、図４のグルーブトラックＧＴは、固定周期で遥動しているため、グルーブトラックＧＴの遥動の位相と、記録ピット列の遥動の位相とは、半周期ずれた関係にある。また、記録ピット列の遥動の振幅Ａ２は、グルーブトラックＧＴの遥動の振幅Ａ１の略２倍である。【００６７】
このような記録ピット列が形成された光ディスク１００を再生すると、図５（ａ）及び図５（ｂ）に示すプッシュプル信号の信号成分が取得される。具体的には、グルーブトラックＧＴにレーザ光ＬＢが照射されることで取得されるプッシュプル信号の信号成分（以降、適宜“グルーブトラックＧＴに起因する信号成分”と称する）は、図５（ａ）に示される。同様に、記録ピット列にレーザ光ＬＢが照射されることで取得されるプッシュプル信号の信号成分（以降、適宜“記録ピット列に起因する信号成分”と称する）は、図５（ｂ）に示される。グルーブトラックＧＴの遥動の位相と記録ピット列の遥動の位相とは互いに逆であるため、グルーブトラックＧＴに起因する信号成分と記録ピット列に起因する信号成分とは、互いに逆の位相で振動する。【００６８】
また、一般的に記録ピット列は、記録ピットが形成されるマーク部分と、記録ピットが形成されないスペース部分との比率が概ね１：１（即ち、デューティー比が概ね５０％）となるように形成される。そして、記録ピット列の遥動の振幅Ａ２が、グルーブトラックＧＴの遥動の振幅Ａ１の略２倍であることから、記録ピット列に起因する信号成分の振幅Ｓ２と、グルーブトラックＧＴに起因する信号成分の振幅Ｓ１とは、略同一となる。【００６９】
このため、情報記録再生装置２００が再生動作の際に実際に取得するプッシュプル信号（即ち、グルーブトラックＧＴに起因する信号成分と記録ピット列に起因する信号成分との和信号）は、図５（ｃ）に示すように、直流成分のみを含む信号となる。【００７０】
ここで、図６を参照して、再生専用型の光ディスク（例えば、ＣＤ−ＲＯＭやＤＶＤ−ＲＯＭ等）における記録ピット及びプッシュプル信号について説明する。ここに、図６は、再生専用型の光ディスクにおける記録ピット列を示す平面図であり、このような記録ピット列が形成された再生専用型の光ディスクを再生することで取得されるプッシュプル信号の波形を概念的に示す波形図である。【００７１】
図６（ａ）に示すように、再生専用型の光ディスクでは、記録面上のくぼみ（穴）によって記録ピットが形成されている。記録ピットは、光ディスク上においてスパイラル状に分布するように形成されているが、記録ピットは遥動することなく、記録再生装置２００から見れば実質的には直線状分布して形成されている状態と同視することができる。このとき、記録型の光ディスク１００が有しているグルーブトラックＧＴやランドトラックＬＴを、再生専用型の光ディスクは有していない。このため、再生専用型の光ディスクを再生することで取得されるプッシュプル信号は、図６（ｂ）に示すように、直流成分のみを含む信号となる。【００７２】
このように、本実施例に係る情報記録再生装置２００により記録ピット列が形成された光ディスク１００を再生すると、再生専用型の光ディスクを再生することで取得されるプッシュプル信号と同一或いは概ね同一のプッシュプル信号を取得することができる。このため、再生専用型の光ディスクを再生するための再生専用型の情報再生装置であっても、本実施例に係る情報記録再生装置２００により形成された記録ピット列を、特段の不都合なく好適に再生することができる。仮に、遥動しない記録ピット列をグルーブトラックＧＴ上に形成すれば、プッシュプル信号は、グルーブトラックＧＴの遥動に合わせた波形を有する。これは、再生専用型の情報再生装置にとって、本来予期されるプッシュプル信号ではないため、再生動作に影響を与える恐れもある。しかるに、本実施例によれば、再生専用型の光ディスク及び本実施例に係る記録型の光ディスク１００のいずれからも同一のプッシュプル信号（ないしは再生信号）が取得されるため、特に再生専用型の情報再生装置において、好適な再生動作を維持することができる。まとめると、本実施例に係る情報記録再生装置２００により記録ピット列が形成された記録型の光ディスク１００は、再生専用型の光ディスクと互換性を好適に取ることができる。【００７３】
このような記録ピット列を形成するための情報記録再生装置２００のより具体的な構成について、図７を参照して説明する。ここに、図７は、情報記録再生装置２００のより具体的な構成を概念的に示すブロック図である。【００７４】
図７に示すように、光ピックアップ３５２は、ＬＤ（Laser Diode）５０１と、ＰＤ（Photo  Detector）５０２と、ビームスプリッタ５０３と、集光レンズ５０４と、対物レンズ５０５と、レンズ駆動素子５０６とを備える。【００７５】
ＬＤ５０１は、本発明における「照射手段」の一具体例を構成しており、レーザ光ＬＢを光ディスク１００に対して照射する。【００７６】
ＰＤ５０２は、本発明における「検出手段」の一具体例を構成しており、ＬＤ５０１より照射されたレーザ光ＬＢの反射光を受光する。受光された反射光から受光信号が生成され、ホストコンピュータ４００へ出力され、再生データとして再生される。また、受光信号は、信号記録再生手段３５３が備える位相遅延回路５１２やゲイン回路５１３へ出力され、記録信号を生成する際に参照される。【００７７】
ビームスプリッタ５０３は、ＬＤ５０１から出力されたレーザ光ＬＢを、そのまま透過させると共に、当該レーザ光ＬＢの入射面と反対の面から入射されるレーザ光ＬＢの反射光を屈折ないしは反射させて、ＰＤ５０２に集光させる。【００７８】
集光レンズ５０４は、入射したレーザ光ＬＢを略平行光にして、対物レンズ５０５に入射させる。【００７９】
対物レンズ５０５は、集光レンズ５０４によって略平行光にされたレーザ光ＬＢが入射される。対物レンズ５０５は、このレーザ光ＬＢを集光して、光ディスク１００に照射する。【００８０】
レンズ駆動素子５０６は、対物レンズ５０５の配置位置を変更するための駆動機構を有している。レンズ駆動素子５０６は、図示しないトラッキング駆動回路から供給される駆動信号に従って駆動するピエゾ素子を含んでおり、対物レンズ５０５の位置をトラッキング方向ないしはフォーカス方向に移動させる。【００８１】
レンズ駆動素子５０６が高速反応性を有するピエゾ素子を含んでいるがゆえに、比較的高速に遥動する（即ち、高周波で遥動する）グルーブトラックＧＴの遥動の位相と逆の位相で遥動する記録ピット列を形成することができる。【００８２】
また、信号記録再生手段３５３は、信号処理回路５１１と、位相遅延回路５１２と、ゲイン回路５１３とを備える。【００８３】
信号処理回路５１１は、ホストコンピュータ４００から供給される記録用のデータに対して、例えば誤り訂正用の訂正符号を付加したり、所定の変調を加えたりして記録信号を生成する。【００８４】
位相遅延回路５１２は、本発明における「遅延付加手段」の一具体例を構成しており、信号処理回路５１１から出力される記録信号に対して位相遅延を施す。具体的には、ＰＤ５０２において生成される受光信号から、グルーブトラックＧＴの遥動のタイミングないしは位相を検出し、グルーブトラックＧＴの遥動の位相と逆の位相で遥動する記録ピット列を形成できるように、記録信号に対して位相遅延を施す。特に、光ディスク１００のグルーブトラックＧＴは固定周期で遥動しているため、グルーブトラックＧＴの遥動の位相に対して半周期ずれた位相で遥動する記録ピット列を形成できるように、記録信号に位相遅延を施す。【００８５】
ゲイン回路５１３は、本発明における「ゲイン調整手段」の一具体例を構成しており、信号処理回路５１１から出力される記録信号のゲインを調整する。具体的には、ＰＤ５０２において生成される受光信号から、グルーブトラックＧＴの遥動の振幅を検出し、グルーブトラックＧＴの遥動の振幅の略２倍の振幅を有する記録ピット列を形成できるように、記録信号のゲインを調整する。【００８６】
このような構成を情報記録再生装置２００が備えることで、上述したように、グルーブトラックＧＴの遥動の位相とは逆の位相で遥動する記録ピット列であって、遥動の振幅が、グルーブトラックＧＴの遥動の振幅の略２倍となる記録ピット列を好適に形成することができる。【００８７】
尚、上に説明した光ディスク１００は、例えばＤＶＤ−Ｒ／ＲＷのようにグルーブトラックＧＴが固定の周期で遥動する光ディスク１００を用いて説明を進めた。しかしながら、グルーブトラックＧＴが固定の周期で遥動する光ディスクに限らず、例えば図８や図９に示すようなＢＰＭ変調が施されて遥動するグルーブトラックＧＴを備える光ディスク１０１（例えば、ＤＶＤ＋Ｒ／ＲＷ等）であっても同様のことが言える。ここに、図８は、グルーブトラックＧＴ上に形成される記録ピット列を概念的に示す平面図であり、図９は、記録ピット列が形成された光ディスク１００を再生することで取得されるプッシュプル信号の波形を概念的に示す波形図である。尚、図８では、説明の簡略化のために、ランドトラックＬＴを省略した記載となっている。【００８８】
図８に示すように、光ディスク１０１のグルーブトラックＧＴには、ＢＰＭ（Bi Phase Modulation）変調が施されている。この場合であっても、本実施例に係る情報記録再生装置２００は、グルーブトラックＧＴの遥動の位相とは逆の位相で遥動する記録ピット列を形成する。また、記録ピット列の遥動の振幅Ａ４は、グルーブトラックＧＴの遥動の振幅Ａ３の略２倍である。【００８９】
このような記録ピット列が形成された光ディスク１００を再生すると、図９（ａ）に示すグルーブトラックＧＴに起因する信号成分や、図９（ｂ）に示す記録ピット列に起因する信号成分が取得される。グルーブトラックＧＴの遥動の位相と記録ピット列の遥動の位相とは互いに逆であるため、グルーブトラックＧＴに起因する信号成分と記録ピット列に起因する信号成分とは、互いに逆の位相で振動する。そして、記録ピット列の遥動の振幅Ａ４が、グルーブトラックＧＴの遥動の振幅Ａ３の略２倍であることから、記録ピット列に起因する信号成分の振幅Ｓ４と、グルーブトラックＧＴに起因する信号成分の振幅Ｓ３とは、略同一となる。【００９０】
このため、情報記録再生装置２００が再生動作の際に実際に取得するプッシュプル信号（即ち、グルーブトラックＧＴに起因する信号成分と記録ピット列に起因する信号成分との和信号）は、図９（ｃ）に示すように、直流成分のみを含む信号となる。従って、このような光ディスク１０１であっても、上述した各種利益を享受することができる。【００９１】
尚、グルーブトラックＧＴの遥動の態様に係わらず、グルーブトラックＧＴの遥動の位相とは逆の位相に遥動する記録ピット列であって、遥動の振幅が、グルーブトラックＧＴの遥動の振幅の略２倍となる記録ピット列を形成すれば、上述した各種利益を享受することができるのは言うまでもない。【００９２】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【００９３】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法、並びに、記録制御用のコンピュータプログラムもまた本発明の技術的範囲に含まれるものである。
【産業上の利用可能性】
【００９４】
本発明に係る情報記録媒体、情報記録装置及び情報記録方法、並びにコンピュータプログラムは、例えばＤＶＤレコーダ等に利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
0004493051.tif 000002
【図２】
0004493051.tif 000003
【図３】
0004493051.tif 000004
【図４】
0004493051.tif 000005
【図５】
0004493051.tif 000006
【図６】
0004493051.tif 000007
【図７】
0004493051.tif 000008
【図８】
0004493051.tif 000009
【図９】
0004493051.tif 000010